(57)【要約】【課題】比較的大型の紙等と細かな塵芥とを分別して収集するための塵取り器を、提供する。【解決手段】塵取り器１は、開放した前端を第１のゴミ取り入れ口４に形成してあるゴミ収容部２と横向きに延びる細幅スリット状の第２のゴミ取り入れ口１２を有する、ほぼ密閉された集塵室３とを、上下に配してなる。電気掃除機ＥＣの吸塵パイプに接続される接続口１７を、集塵室に開口させて設けている。紙等は第１のゴミ取り入れ口からゴミ収容部に、そして塵芥は第２のゴミ取り入れ口から集塵室に、分別して取り入れられる。【選択図】図２
0003112353.tif 000002
【実用新案登録請求の範囲】
【請求項１】
前端を開放して該開放端を第１のゴミ取り入れ口（４）に形成してある、ほぼ箱状のゴ
ミ収容部（２）と、
横向きに延びる細幅スリット状の第２のゴミ取り入れ口（１２）を前端に有し、ほぼ密
閉された集塵室（３）と、
を上下に配して設けてある塵取り器。
【請求項２】
電気掃除機（ＥＣ）の吸塵パイプ（ＳＰ）に接続される接続口（１７）を、前記集塵室
（３）に開口させて設けてある請求項１の塵取り器。
【請求項３】
前記したゴミ収容部（２）と集塵室（３）間の境界壁に、ゴミ収容部（２）から集塵室
（３）への塵芥の移行を可能とする複数の透孔（１９）を設けてある請求項２の塵取り器
。
【考案の詳細な説明】
【技術分野】
【０００１】
この考案は各別の取り入れ口を有するゴミ収容部と集塵室とを備えており、ゴミを分別
して収集できるとともに電気掃除機と組合わせて好適に使用できる塵取り器に関するもの
である。
【背景技術】
【０００２】
収集されるゴミを砂等の不燃物と紙屑とか落ち葉等の可燃物とに分別して、不燃物は被
清掃面に戻してやることとする塵取り器が公知である。この公知の塵取り器は、前端を開
放してゴミ取り入れ口に形成してある箱状の塵取り器について、その底板の主要部を小径
の砂等の通過を許容する網または多孔板で形成するか、塵取り器の振動により比重大の砂
等が溜まることとなる溜まり部を底板に凹設している。したがって本塵取り器は砂等が混
在する庭、道路、駐車場等の被清掃面を予定している。
【特許文献１】実開平６−１３７５４号公報
【特許文献２】登録実用新案第３０６５７２０号公報
【０００３】
これに対しフローリング面とか家屋内のコンクリート面等の被清掃面上のゴミについて
は砂等が混在する余地はまず無く、ゴミは紙屑等が混在している綿埃等の細かな塵芥であ
る。そのようなゴミを箒で清掃して塵取り器に取り入れて収集する場合、とかく細かな塵
が塵取り器から舞い上がって再び被清掃面に散乱しがちである。また電気掃除機を使って
清掃する場合には紙屑等がとかく掃除機を詰まらせるとか、詰まらせないとしても「ガー
ガー」といった不愉快な騒音を発生させがちである。
【考案の開示】
【考案が解決しようとする課題】
【０００４】
この考案はフローリング面とか家屋内のコンクリート面上のゴミを収集するための塵取
り器であって、ゴミを箒で清掃する場合に収集された細かな塵が再び散乱することを防い
である、新規な塵取り器を提供しようとするものである。また特に電気掃除機と組合わせ
て使用するとき掃除機の詰まりとか騒音の発生を防ぎながら能率よく清掃を行えることと
する、新規な塵取り器を提供しようとするものである。
【課題を解決するための手段】
【０００５】
この考案の塵取り器は、
前端を開放して該開放端を第１のゴミ取り入れ口（４）に形成してある、ほぼ箱状のゴ
ミ収容部（２）と、
横向きに延びる細幅スリット状の第２のゴミ取り入れ口（１２）を前端に有し、ほぼ密
閉された集塵室（３）と、
を上下に配して設けてなる。
【０００６】
この構造によると、フローリング面とか家屋内のコンクリート面等の被清掃面上のゴミ
を箒で掃いて塵取り器に取り入れ収集するとき、紙屑等の大型のゴミはほぼ箱状のゴミ収
容部前端の開放された第１のゴミ取り入れ口４から該ゴミ収容部２内に取り入れられて、
同収容部に貯溜される。細かな塵等は集塵室前端の細幅スリット状の第２のゴミ取り入れ
口１２から該集塵室３内に取り入れられ、その集塵室がほぼ密閉されていることからして
再び外部に散乱することなく同集塵室に貯溜される。紙屑等に多少の塵等が混入してゴミ
収容部内に取り入れられても、その塵等が再び外部に散乱するおそれはほとんどないが、
必要なら先ず視認できる大型の紙屑等をゴミ収容部に掃き入れ、次に塵取り器を移動させ
ながら被清掃面を比較的穏やかに掃いて行くことで塵等をもっぱら第２のゴミ取り入れ口
から集塵室内に取り入れることができ、そうすることによってゴミ収容部内の紙屑等に対
する塵の混入をほとんど無くせる。
【０００７】
この考案の塵取り器は上述の構造に加えて、電気掃除機（ＥＣ）の吸塵パイプ（ＳＰ）
に接続される接続口（１７）を前記集塵室（３）に開口させて設けてあるものに構成でき
る。本構造の塵取り器は電気掃除機を、その吸塵パイプを上記接続口に接続して組合わせ
使用することで、電気掃除機の吸引力によって細かな塵をもっぱら第２のゴミ取り入れ口
から集塵室内へ、そしてそこから電気掃除機内に取り入れることができ、第１のゴミ取り
入れ口からはもっぱら紙屑等の比較的大型のゴミのみをゴミ収容部内に取り入れ貯溜させ
得て、比較的大型の紙屑等と細かな塵とを完全に分別して収集できる。なお最初は箒での
ゴミ収集を行い、その後に電気掃除機によって塵取り器の集塵室内に収集された塵を掃除
機内へと排除する使い方も可能である。
【０００８】
さらに前記したゴミ収容部（２）と集塵室（３）間の境界壁に、ゴミ収容部（２）から
集塵室（３）への塵芥の移行を可能とする複数の透孔（１９）を設けることもできる。本
構造によれば紙屑等に混入してゴミ収容部内に入った多少の塵を、電気掃除機を組合わせ
て使用することで上記透孔を介し集塵室内に、そして電気掃除機内にもたらすことができ
、比較的大型の紙屑等と細かな塵とを完全に分別できることとなる。
【実施例１】
【０００９】
図１−３には、この考案の第１の実施例に係る塵取り器１を示してある。この塵取り器
１は適当な合成樹脂又は金属材からなり、前半部の上方側に位置させたほぼ箱状のゴミ収
容部２、及び前半部の下方に位置するとともに後半部の全高さを占める集塵室３を備える
。ゴミ収容部２を、集塵室３の上方で塵取り器１の後端に至るまでのものに形成してもよ
い。
【００１０】
ほぼ箱状のゴミ収容部２の前端は開放されていて、同開放端を第１のゴミ取り入れ口４
に形成してある。ゴミ収容部２の底板は前方から後方にかけ斜め上向きに傾斜させてあり
、その中途前端寄りにはゴミ収容部２内からのゴミの前方向きの戻りを防止するための、
前端側が高い傾斜部５を形成してある。ゴミ収容部２の両側壁上端には、ゴミ収容部２内
からのゴミの横向きの逸散を防止するため内向きの突縁６を設けてある。ゴミ収容部２後
端の立壁は斜め上方向きに傾斜させてあり、該立壁の左右端には下端開放コの字形の上向
き突起７を形成してある。この突起７にはその内側面に沿わせて把手８を、ピン９によっ
て回動可能に支持させてある。把手８は使用のため図示省略のストッパに規制される図示
の直立姿勢まで回動され、非使用時にはゴミ収容部２にほぼ平行する姿勢まで下向きに回
動される。
【００１１】
集塵室３の底板にはその前端付近で集塵室３内からのゴミの前向きの戻りを防止するた
めの、前側が高い傾斜部１１を形成してある。そして集塵室３の前端は同室３の全幅にわ
たって横向きに延びる、縦幅が小さいスリット状の第２のゴミ取り入れ口１２を有するも
のとされている。すなわちゴミ収容部２の底板前端に、先端の端縁保護用のゴム帯片１３
を挟持するところの２枚合わせのプラスチック帯片１４を接着してあり、集塵室３の底板
における傾斜部１１前方側の平坦面部とプラスチック帯片１４との間の間隙を、上記した
第２のゴミ取り入れ口１２に形成している。この細幅スリット状の第２のゴミ取り入れ口
１２の縦幅は、例えば２−６ｍｍに設定される。薄板材からなる塵取り器１において薄板
材が変形しても第２のゴミ取り入れ口１２の縦幅の縮小を防ぎ該縦幅を一定に維持するた
めには、塵取り器１の横方向の１箇所又は複数箇所で図３に示すように上面を傾斜させて
あるブロック片１５を、ネジ１６によって集塵室３の底板上に固定して設けるとよい。こ
のブロック片１５として高さが異なるものを複数種用意しておけば、ブロック片１５の交
換により第２のゴミ取り入れ口１２の縦幅を変更できることになる。
【００１２】
図２に示すように塵取り器１において集塵室３に対面する後壁には、該集塵室３に開口
する接続口１７を設けてある。この接続口１７は上記後壁に穿けた貫通穴にパイプ材を挿
入支持させたもので、支持構造の図示を省略するが上記後壁に揺動可能に支持させるのが
好ましい。接続口１７を形成するパイプ材の外面はテーパー付けしてあり、このテーパー
付けされた外面に電気掃除機ＥＣにおける伸縮自在な吸塵パイプＳＰの基端を外挿して、
接続口１７に対し吸塵パイプＳＰを接続できることとされている。
【００１３】
第１の実施例に係る塵取り器１は上述のように構成されていて、フローリング面とかコ
ンクリート面の清掃のために箒とともに、又は図２に示されている通り電気掃除機ＥＣと
組合わせて、用いられる。
【００１４】
被清掃面上のゴミを箒で掃いて塵取り器１に収集するときは、紙屑等の比較的大型のゴ
ミは第１のゴミ取り入れ口４から前端開放の箱状のゴミ収容部２内に収集され、また細か
な塵等はスリット状の第２のゴミ取り入れ口１２から集塵室３内に収集され再び外部に散
乱することがない。紙屑等の比較的大型のゴミを予めゴミ収容部２に掃き入れ収集した上
で、塵取り器１を移動させつつ被清掃面を比較的穏やかに掃いて行くことで、塵等をもっ
ぱら第２のゴミ取り入れ口から集塵室３内に収集できる。なお塵取り器をして接続口１７
を設けない構造のものとするときは、集塵室３内に収集された塵等を後で排出するための
塵排出口を、集塵室３に開口させて設けるが、その場合、同塵排出口を開閉可能として清
掃中は閉鎖することとするのがよい。
【００１５】
箒は用いず塵取り器１を電気掃除機ＥＣと組合わせて使用するときは、電気掃除機ＥＣ
の吸引力によって塵がもっぱら、スリット状の第２のゴミ取り入れ口１２から集塵室３内
に取り入れられ、次いで吸塵パイプＳＰから掃除機ＥＣへと吸引される。紙等は箒によっ
てゴミ収容部２に収集する。なお最初は箒でゴミの収集を行い、その後に集塵室３内の収
集された塵を電気掃除機ＥＣに吸引排出させることもできる。
【実施例２】
【００１６】
図４には、第２の実施例に係る塵取り器１を示してある。この塵取り器１ではゴミ収容
部２の底板と後端立壁、つまりゴミ収容部２と集塵室３間の境界壁に、ゴミ収容部２から
集塵室３への塵芥の移行を可能とする複数の透孔１９を設けている。また本実施例では前
記のもの同様の機能の接続口１７を後下向きにやや傾斜する、塵取り器１の頂壁に設けて
集塵室３に開口させている。その他の部分の構造は第１の実施例と相違がなく、先に用い
たのと同一の符号を付してある。
【００１７】
第２の実施例によれば紙屑等の比較的大型のゴミに混入してゴミ収容部２内に入った多
少の塵を、吸塵パイプを接続口１７に接続する電気掃除機によって透孔１９から集塵室３
内へ、そしてそこから吸塵パイプを介し電気掃除機内へ、完全に移すことができて、分別
効果が高められる。
【図面の簡単な説明】
【００１８】
【図１】第１の実施例に係る塵取り器を示す斜視図である。
【図２】図１のＩＩ−ＩＩ線に沿った縦断側面図である。
【図３】上記塵取り器の一部を示す、図２とは別の縦断面に沿った拡大縦断側面図である。
【図４】第２の実施例に係る塵取り器を示す縦断側面図である。
【符号の説明】
【００１９】
１          塵取り器
２          ゴミ収容部
３          集塵室
４          第１のゴミ取り入れ口
１２        第２のゴミ取り入れ口
１４        プラスチック帯片
１７        接続口
１９        透孔
ＥＣ        電気掃除機
ＳＰ        吸塵パイプ
【図１】
0003112353.tif 000003
【図２】
0003112353.tif 000004
【図３】
0003112353.tif 000005
【図４】
0003112353.tif 000006